(57)【特許請求の範囲】
【請求項１】
矩形状の底板の対向する一対の辺にそれぞれ回動自在に取付けた一方の一対の側板と、対向する他の一対の辺に回動自在に取付けた他方の一対の側板とを、一方の一対の側板を倒した上に他方の一対の側板を倒した状態で折り畳み且つ他方の一対の側板を起立させた後に一方の一対の側板を起立させて箱形状に組み立てる折り畳みコンテナであって、箱状に組み立てた状態で垂直となる側板の内面部に内方及び上方に開口している収納物取り出し用凹所を形成して成ることを特徴とする折り畳みコンテナ。
【請求項２】
収納物取り出し用凹所の横巾を上に行く程巾広となるように形成して成ることを特徴とする請求項１記載の折り畳みコンテナ。
【請求項３】
底板の上面の端縁に一体に立設した立ち上がり突部に側板を軸支すると共に起立状態の側板が立ち上がり突部上に載置される構成とし、側板の内面部の上端部から立ち上がり突部の内面部の下端部に到るように収納物取り出し用凹所を形成して成ることを特徴とする請求項１又は請求項２記載の折り畳みコンテナ。
【請求項４】
側板の主体となる平板部の外面部の上端部に上横リブを設けると共に平板部の外面部の下端部に下横リブを設け、平板部の一部を外面側に凹ませて内方及び上方に開口する収納物取り出し用凹所を形成し、上横リブの収納物取り出し用凹所の上開口に該当する個所を上横リブの他の部位よりも凹ませて巾狭とし、収納物取り出し用凹所部分の外面の上部に凹所補強用横リブを形成し、この凹所補強用横リブを少なくとも収納物取り出し用凹所の両縦縁部間にわたるように形成して成ることを特徴とする請求項１乃至請求項３のいずれかに記載の折り畳みコンテナ。
【請求項５】
収納物取り出し用凹所部分の外面に凹所補強用縦リブを設けて該凹所補強用縦リブと凹所補強用横リブとを交差一体化させて成ることを特徴とする請求項４記載の折り畳みコンテナ。
【発明の詳細な説明】
【０００１】
【発明の属する技術分野】
本発明は、折り畳みコンテナ、特に口枠無しのタイプの折り畳みコンテナに関するものである。
【０００２】
【従来の技術】
従来から、矩形状の底板の対向する一対の辺にそれぞれ回動自在に取付けた一方の一対の側板と、対向する他の一対の辺に回動自在に取付けた他方の一対の側板とを、一方の一対の側板を倒した上に他方の一対の側板を倒した状態で折り畳み且つ他方の一対の側板を起立させた後に一方の一対の側板を起立させて箱形状に組み立てる口枠無しの折り畳みコンテナが知られている。
【０００３】
ところで、コンテナには収納物を収納して保管したり、搬送したりするのに用いられるが、例えば玉子パックのような収納物をコンテナ内に収納する場合、玉子パックのような収納物がコンテナ内でがたつかないように、コンテナ内にほぼぴったりと収納する必要がある。つまり、玉子のように割れやすいもののパック品である玉子パックはコンテナ内で動かないように側壁の内面部との間にほぼ隙間がないようにぴったりと収納する必要がある。ところが、従来から一般的に用いられている合成樹脂の一体成形により箱形状に形成したコンテナの場合、箱形状のコンテナは金型の抜き勾配を形成する必要があるため、上開口側程巾広となるように側壁を傾斜させる必要があり、このため、コンテナに玉子パックのような収納物を収納した場合、コンテナ内の下においては玉子パックのような収納物ががたつかないようにぴったりと収納できるが、コンテナ内の上部においては玉子パックのような収納物と側壁との間に隙間が生じて玉子パックのような収納物ががたつくおそれがあって好ましくない。
【０００４】
一方、折り畳みコンテナは底板、各側板が別部材であって、別々に合成樹脂で成形されるので、組み立て状態で側板が垂直となるものであり、このため、箱形状に組み立てた状態で内部の大きさは上開口も内部の上下方向の各部における大きさも同じであり、玉子パックのように割れやすい収納物をコンテナにぴったりと収納する場合に有効である。
【０００５】
ところが、上記のように折り畳みコンテナにおいては箱形状に組み立てた状態で側板が垂直となるため、玉子パックのように割れやすい収納物をぴったりと収納する場合に有効である反面、収納物を取り出しにくいという問題がある。
【０００６】
【発明が解決しようとする課題】
本発明は上記の問題点に鑑みて発明したものであり、玉子パックのように割れやすい収納物をぴったりと収納できるとともに、収納物を容易に取り出すことができる折り畳みコンテナを提供することを課題とするものである。
【０００７】
【課題を解決するための手段】
上記課題を達成するため本発明の折り畳みコンテナは、矩形状の底板１の対向する一対の辺にそれぞれ回動自在に取付けた一方の一対の側板２と、対向する他の一対の辺に回動自在に取付けた他方の一対の側板２とを、一方の一対の側板２を倒した上に他方の一対の側板２を倒した状態で折り畳み且つ他方の一対の側板２を起立させた後に一方の一対の側板２を起立させて箱形状に組み立てる折り畳みコンテナ３であって、箱状に組み立てた状態で垂直となる側板２の内面部に内方及び上方に開口している収納物取り出し用凹所１１を形成して成ることを特徴とするものである。このような構成とすることで、折り畳みコンテナ３を箱状に組み立てて内部に玉子パックのような収納物を収納する場合、折り畳みコンテナ３は側板が垂直にできるため、玉子パックのような収納物を折り畳みコンテナ３内にがたつかないようにぴったりと収納できるものであり、しかも、折り畳みコンテナ３内に玉子パックのような収納物をがたつかないようにぴったりと収納した状態で、収納物を取り出すに当たって、垂直な側板２の内面部に形成した内方及び上方に開口する収納物取り出し用凹所１１を利用してここに指を入れて収納物を取り出すことができるものである。
【０００８】
また、収納物取り出し用凹所１１の横巾を上に行く程巾広となるように形成することが好ましい。このような構成とすることで、収納物取り出し用凹所１１を利用して収納物をよりいっそう容易に取り出すことができるものである。
【０００９】
また、底板１の上面の端縁に一体に立設した立ち上がり突部１０に側板２を軸支すると共に起立状態の側板２が立ち上がり突部１０上に載置される構成とし、側板２の内面部の上端部から立ち上がり突部１０の内面部の下端部に到るように収納物取り出し用凹所１１を形成することが好ましい。このような構成とすることで、折り畳みコンテナ３内の下部においても立ち上がり突部１０に到る収納物取り出し用凹所１１を利用して収納物を取り出すことができるものである。また、載置板の両側に把手帯を突出し、載置板に玉子パックのような収納物を載置した状態で折り畳みコンテナ３内に収納すると共に把手帯を収納物取り出し用凹所１１内に収め、取り出し時に把手帯を掴んで上方に引き上げることで折り畳みコンテナ３内にぴったりと収納した収納物を取り出すというようなことも可能となるものである。
【００１０】
また、側板２の主体となる平板部１３の外面部の上端部に上横リブ１４ａを設けると共に平板部１３の外面部の下端部に下横リブ１４ｂを設け、平板部１３の一部を外面側に凹ませて内方及び上方に開口する収納物取り出し用凹所１１を形成し、上横リブ１４ａの収納物取り出し用凹所１１の上開口に該当する個所を上横リブ１４ａの他の部位よりも凹ませて巾狭とし、収納物取り出し用凹所１１部分の外面の上部に凹所補強用横リブ１４を形成し、この凹所補強用横リブ１４を少なくとも収納物取り出し用凹所１１の両縦縁部間にわたるように形成することが好ましい。これにより、収納物取り出し用凹所１１を形成することで上横リブ１４ａの一部が巾狭となって収納物取り出し用凹所１１の上開口部分の強度が低下して変形しやすいが、収納物取り出し用凹所１１部分の外面の上部に収納物取り出し用凹所１１の両縦縁部間にわたるように形成した凹所補強用横リブ１４により収納物取り出し用凹所１１の上開口部分が変形しないように補強できるものである。
【００１１】
また、収納物取り出し用凹所１１部分の外面に凹所補強用縦リブ１５を設けて該凹所補強用縦リブ１５と凹所補強用横リブ１４とを交差一体化させることが好ましい。このような構成とすることで、収納物取り出し用凹所１１の補強をより強固に行うことができるものである。
【００１２】
【発明の実施の形態】
以下本発明の実施形態につき説明する。
【００１３】
本発明の折り畳みコンテナは、図１乃至図６に示すように、合成樹脂製の矩形状の底板１の対向する一対の辺にそれぞれ回動自在に取付けた一方の一対の側板２（これが先に倒す側板２であり、以下、第１の側板２ａという）と、対向する他の一対の辺に回動自在に取付けた他方の一対の側板２（これが後から倒す側板２であり、以下、第２の側板２ｂという）とを、一対の第１の側板２ａを倒した上に一対の第２の側板２ｂを倒した状態で折り畳み且つ一対の第２の側板２ｂを起立させた後に一対の第１の側板２ａを起立させて箱形状に組み立てるようになっている。
【００１４】
折り畳みコンテナは底板１が長方形をしていて折り畳んだ際に平面視長方形となり且つ箱状に組み立てた際に平面視長方形の箱となるタイプのものと、底板１が正方形をしていて折り畳んだ際に平面視正方形となり且つ箱状に組み立てた際に平面視正方形の箱となるタイプのものとがあり、本発明においては上記いずれのタイプの折り畳みコンテナであってもよいものであるが、添付図面には底板１が長方形をしている実施形態を示している。以下、底板１が長方形の場合を例として説明する。そして、以下の説明においては、第１の側板２ａを短辺側の側板とし、第２の側板２ｂを長辺側の側板として説明する。もちろん、本発明においては第１の側板２ａが長辺側の側板、第２の側板２ｂが短辺側の側板であってもよい。
【００１５】
合成樹脂製の長方形状の底板１の対向する短辺側の辺には第１の側板２ａである短辺側の側板が回動自在に取付けてあり、また、底板１の対向する長辺側の辺には第２の側板２ｂである長辺側の側板が回動自在に取付けてある。
【００１６】
短辺側の側板である第１の側板２ａは図２に示すように、上下方向の長さが底板１の長辺側の長さの１／２以下の長さとなっていて、回動して折り畳んだ場合、対となった第１の側板２ａ同士が重複しないようになっている。また、添付図面の実施形態では長辺側の側板である第２の側板２ｂは図６に示すように、底板１の短辺側の長さの１／２以下の長さとなっていて、回動して折り畳んだ場合、対となった第２の側板２ｂ同士が重複しないようになっている。
【００１７】
第１の側板２ａ、第２の側板２ｂはいずれも下端部を図７、図８に示すように、横軸部９ａ、９ｂにより底板１に回動自在に取付けてある。
【００１８】
ここで、対となった第１の側板２ａの底板１への各枢支部分の高さ位置（横軸部９ａ、９ａの高さ位置）は同じ高さ位置となっている。また、対となった第２の側板２ｂの底板１への各枢支部分の高さ位置（横軸部９ｂ、９ｂの高さ位置）は同じ高さ位置となっている。そして、第１の側板２ａの底板１への枢支位置（横軸部９ａ、９ａの高さ位置）と第２の側板２ｂの底板１への枢支部分の高さ位置（横軸部９ｂ、９ｂの高さ位置）とは高さを違わせてあり、第１の側板２ａの枢支部分の高さ位置よりも第２の側板２ｂの枢支部分の高さ位置を高くしてあり、折り畳むに当たっては、先に底板１の上に第１の側板２ａを折り畳み、次に、後から第２の側板２ｂを折り畳んで一対の第１の側板２ａの上に一対の第２の側板２ｂを重ねるようになっている。
【００１９】
添付図面に示す実施形態においては、底板１の上面部の一方の一対の対向する辺には立ち上がり突部１０ａが設けてあり、他方の一対の対向する辺には立ち上がり突部１０ｂが設けてあり、立ち上がり突部１０ａよりも立ち上がり突部１０ｂの方が高さが高いものである。この立ち上がり突部１０ａ部分において上記第１の側板２ａを横軸部９ａにより軸支してあり、立ち上がり突部１０ｂ部分において上記第２の側板２ｂを横軸部９ｂにより軸支してある。
【００２０】
図１，図２、図３、図５に示すように、折り畳みコンテナ３を組み立てた状態で折り畳みコンテナ３内に収納した玉子パックのような収納物を取り出す際に折り畳みコンテナの上開口縁から指を差し込んで収納物を取り出すことができるような収納物取り出し用凹所１１が形成してある。この収納物取り出し用凹所１１は側板２の内方及び上方に開口している凹みである。添付図面に示す実施形態では長側板である第２の側板２ｂに収納物取り出し用凹所１１を形成した例を示しているが、短側板である第１の側板２ａに収納物取り出し用凹所１１を形成してもよく、あるいは第１の側板２ａ、第２の側板２ｂのいずれにも収納物取り出し用凹所１１を形成してもよい。また、収納物取り出し用凹所１１は対向する側板２の対向位置に設けるものである。
【００２１】
ところで、折り畳みコンテナ３の側板２は底板１とは別部材であり、各側板２同士も別部材であるので、底板、側板が一体化した一体容器形状のコンテナの側板に比べて側板２の強度を強くする必要がある。また、折り畳みコンテナ３においては、側板２を起立させた際に底板１の上面部（実施形態では底板１の上面部に設けた立ち上がり突部１０ａや立ち上がり突部１０ｂ）に下端面部を載置して垂直に起立させる必要あり、更に、側板２の上面部には上段の折り畳みコンテナ３の底板１を載置する必要があり、このため、折り畳みコンテナ３の側板２は平板部１３の外面部の上端部に上横リブ１４ａを設け、平板部１３の外面部の下端部に下横リブ１４ｂを設ける構成となっている。
【００２２】
そして、上記側板２の内面部に収納物取り出し用凹所１１を形成した場合、該収納物取り出し用凹所１１は平板部１３の一部を外面側に凹曲した構成となっており、このように形成することで収納物取り出し用凹所１１の両縦縁部及び下縁部は平板部１３の平坦面部分と収納物取り出し用凹所１１との境界の屈曲部となってこの部分は縦縁リブ１１ａ、下縁リブ１１ｂとなり、この収納物取り出し用凹所１１の両縦縁部及び下縁部の縦縁リブ１１ａと下縁リブ１１ｂとによるリブ効果により平板部１３自体の強度を補強し且つ縦縁リブ１１ａ、下縁リブ１１ｂは湾曲もしくは屈曲していて収納物取り出し用凹所１１に指先を入れた際に指先の痛みを軽減でき且つ折り畳みコンテナ３内に収納物を収納する際に収納物を傷付けないという特徴を有しているが、上横リブ１４ａ部分においては収納物取り出し用凹所１１の上開口を形成するため収納物取り出し用凹所１１部分のみが他の部分に比べて巾狭となってしまって強度が低下して変形しやすく、特に、箱状に組み立てた状態で折り畳みコンテナ３の上開口部の縁部を構成する側板３の上面部の一部上横リブ１４ａの巾が狭くてこの部分の強度が低下するため、折り畳みコンテナ３の上開口部が変形しやすいという問題がある。
【００２３】
そこで、図１、図３に示すように、収納物取り出し用凹所１１部分の外面側の上部（収納物取り出し用凹所１１の上下方向の略中間部分よりも上方位置）に凹所補強用横リブ１４を一体に形成してあり、この凹所補強用横リブ１４は少なくとも収納物取り出し用凹所１１の両縦縁部の縦縁リブ１１ａ間にわたるように形成してあって、収納物取り出し用凹所１１の上開口を形成するために上横リブ１４ａを凹ませてこの部分を巾狭としたことによる側板３の上縁部の収納物取り出し用凹所１１の上開口部分の強度低下を上記凹所補強用横リブ１４により補強するようになっている。図１、図３に示す実施形態では凹所補強用横リブ１４を２列形成した例を示してあるが、１列であってもよく、また、３列以上形成してもよい。また、図１、図３に示すように、収納物取り出し用凹所１１部分の外面側の下部にも別の凹所補強用横リブ１４’を形成して更に上方及び内面側に開口した収納物取り出し用凹所１１を補強するようにしてもよい。
【００２４】
また、収納物取り出し用凹所１１の外面部に凹所補強用縦リブ１５を設けて該凹所補強用縦リブ１５と上記凹所補強用横リブ１４又は１４と１４’とを交差一体化させてもよく、この場合には更に上方及び内面側に開口した収納物取り出し用凹所１１を補強することができる。
【００２５】
添付図面に示す実施形態においては、折り畳みコンテナ３の側板２は平板部１３の外面部の上端部の上横リブ１４ａと外面部の下端部の下横リブ１４ｂとの間に中間横リブ１６、縦リブ１７を一体に形成してもよく、この場合、中間横リブ１６が上記凹所補強用横リブ１４、１４’と一体に連続するようにしてもよく、また、縦リブ１７のうちの幾つかの縦リブ１７が上記凹所補強用縦リブ１５と一体に連続するようにしてもよい。もちろん、中間横リブ１６を設けない場合でもよく、また、中間横リブ１６を設けても凹所補強用横リブ１４や凹所補強用横リブ１４’が中間横リブ１６と一体に連続しないものであってもよい。また、縦リブ１７を設けない場合でもよく、また、縦リブ１７を設けても凹所補強用縦リブ１５が縦リブ１７と一体に連続しないものであってもよい。
【００２６】
側板２には把持孔４が形成してあるが、この場合、折り畳みコンテナ３の種類によって、第１の側板２ａにのみ把持孔４を形成する場合、第２の側板２ｂにのみ把持孔４を形成する場合、第１の側板２ａ及び第２の側板２ｂのいずれにも把持孔４を形成する場合がある。
【００２７】
添付図面に示す実施形態においては、第１の側板２ａ、一対の第１の側板２ａ及び第２の側板２ｂのいずれにも把持孔４を形成してある例で説明する。
【００２８】
ここで、添付図面に示す実施形態においては、折り畳み時に先に倒す側板２である一対の第１の側板２ａは倒した状態で第１の側板２ａ同士が重ならず且つ該側板２を底板１に対して略平行に当接又は該側板２と底板１とが僅かな小隙間を介して対向するように設定してある。このように、構成することで、折り畳んだ状態における折り畳みコンテナ３の嵩を低くすることができるものである。
【００２９】
この先に倒す側板２である第１の側板２ａの内面部の把持孔４の上又は下位置に把持孔４に連続する指先が入る凹部５を形成してある。
【００３０】
図１、図３、図４、図７、図８に示すように、後から倒す側板２である第２の側板２ｂの両端部に起立状態で先に倒す側板２の両端部を受けて外側に倒れないようにするための端突部６を設けてある。つまり、箱状に組み立てた際に第２の側板２ｂの端突部６に第１の側板２ａの端部が当接して第１の側板２ａがそれ以上外側に倒れないようになっている。この第２の側板２ｂを倒した状態では端突部６が底板１に当接するものであり、この状態で第２の側板２ｂ同士は重複しないようになっており、更に、第２の側板２ｂを第１の側板２ａに略平行状態で当接させてもよく、あるいは、僅かな隙間を形成して折り畳み状態で第２の側板２ｂからかかる荷重が第１の側板２ａに係ることなく端突部６から直接底板１のみに掛かるようにしてもよ。いずれにせよ上記のような構成とすることで折り畳んだ状態の嵩を低くできるものである。
【００３１】
また、図１に示すように、後から倒す側板２である第２の側板２ｂを倒した状態で第２の側板２ｂの把持孔４の周囲の下方位置に先に倒した側板２である第１の側板２ａが位置せずに第２の側板２ｂの把持孔４の周囲と底板１との間に隙間７が形成してある。
【００３２】
上記のような構成の折り畳みコンテナ３は、一対の第１の側板２ａを先に折り畳み、次に、一対の第２の側板２ｂを折り畳んで図１に示すように折り畳むものである。このような折り畳み状態において、保管したり、空の状態で搬送することで、コンパクトに嵩低くした状態で保管したり、空の状態で搬送できるものである。
【００３３】
折り畳みコンテナ３を箱状に組み立てるに当たっては、第２の側板２ｂの把持孔４に指先を入れ、更に指先を曲げて第２の側板２ｂの把持孔４の周囲と底板１との間に隙間７に入れて第２の側板２ｂの内面部の把持孔４の周囲の部分に指先を引っ掛け、この状態で第２の側板２ｂを回動させて起立させる。次に、第１の側板２ａの把持孔４に指先を入れ、更に指先を曲げて凹部５に入れて指先を引っ掛け、この状態で第１の側板２ａを回動させて起立させて図２に示すように箱状に組み立てる。これにより、第１の側板２ａ、第１の側板２ｂとも把持孔４に入れた指先を滑らせることなく確実に垂直に起立させることができる。
【００３４】
垂直に起立状態で第１の側板２ａの端部が第２の側板２ｂの端突部６に当たり、この状態で任意の係止手段により隣接する第１の側板２ａと第２の側板２ｂとを係止して垂直な起立状態を保持するようにしている。
【００３５】
箱状に組み立てた折り畳みコンテナ３内には玉子パックのような収納物を収納するものである。この場合、折り畳みコンテナ３は側板が垂直な起立姿勢となるため、玉子パックのような収納物を折り畳みコンテナ３内にがたつかないようにぴったりと収納できるものであって、玉子パックのような収納物ががたついて中の玉子が割れるのを防止するようになっている。
【００３６】
このように折り畳みコンテナ３内に玉子パックのような収納物をがたつかないようにぴったりと収納した状態で、収納物を取り出すに当たっては、垂直な側板２の内面部に形成した内方及び上方に開口する収納物取り出し用凹所１１を利用してここに指を入れて収納物を容易に取り出すことができるものである。
【００３７】
次に、図９に示す本発明の他の実施形態につき説明する。本実施形態は基本的構造は前述の実施形態と同様であり、収納物取り出し用凹所１１の形態のみが異なる。すなわち、本実施形態においては、底板１の上面の端縁に一体に立設した立ち上がり突部１０に側板２を軸支すると共に起立状態の側板２が立ち上がり突部１０上に載置される構成としたものにおいて、側板２の内面部の上端部から立ち上がり突部１０の内面部の下端部に到るように収納物取り出し用凹所１１を形成してある。このような構成とすることで、折り畳みコンテナ３内の下部においても立ち上がり突部１０に到る収納物取り出し用凹所１１を利用して収納物を取り出すことができるものである。
【００３８】
次に、図１０には本発明の更に他の実施形態につき説明する。本実施形態は基本的構造は前述の実施形態と同様であり、収納物取り出し用凹所１１の形態のみが異なる。すなわち、本実施形態においては、収納物取り出し用凹所１１の横巾を上に行く程巾広となるように形成してある。このように、収納物取り出し用凹所１１の横巾を上に行く程巾広とすることで、収納物取り出し用凹所１１を利用して収納物をよりいっそう容易に取り出すことができるものである。ここで、図１に示すような側板２のみに収納物取り出し用凹所１１を形成したものにおいても、実施形態においては収納物取り出し用凹所１１の横巾を上に行く程巾広となるように形成してもよく。この場合も収納物の取り出しが容易に行えるものである。
【００３９】
なお、上記した各実施形態においては、折り畳みコンテナ３の折り畳み状態における嵩を低くするため一対の第１の側板２ａ同士が折り畳み状態で互いに重複せず、また、一対の第２の側板２ｂ同士が折り畳み状態で互いに重複しないように構成した例で説明したが、本発明においては、折り畳み状態において一対の第１の側板２ａ同士が一部重複したり、又は、一対の第２の側板２ｂ同士が一部重複したり、又は、一対の第１の側板２ａ同士が一部重複し且つ一対の第２の側板２ｂ同士が一部重複するような構造のものであってもよいものである。
【００４０】
【発明の効果】
本発明の請求項１記載の発明にあっては、上述のように、矩形状の底板の対向する一対の辺にそれぞれ回動自在に取付けた一方の一対の側板と、対向する他の一対の辺に回動自在に取付けた他方の一対の側板とを、一方の一対の側板を倒した上に他方の一対の側板を倒した状態で折り畳み且つ他方の一対の側板を起立させた後に一方の一対の側板を起立させて箱形状に組み立てる折り畳みコンテナであって、組み立て状態で垂直となる側板の内面部に内方及び上方に開口している収納物取り出し用凹所を形成してあるので、折り畳みコンテナを箱状に組み立てて内部に玉子パックのような収納物を収納する場合、折り畳みコンテナは側板が垂直にできるため、玉子パックのような収納物を折り畳みコンテナ内にがたつかないようにぴったりと収納することができるものであり、しかも、このように折り畳みコンテナ内に玉子パックのような収納物をがたつかないようにぴったりと収納しても、垂直な側板の内面部に形成した内方及び上方に開口する収納物取り出し用凹所を利用してここに指を入れて収納物を簡単に取り出すことができるものである。
【００４１】
また、請求項２記載の発明にあっては、上記請求項１記載の発明の効果に加えて、収納物取り出し用凹所の横巾を上に行く程巾広となるように形成してあるので、収納物取り出し用凹所を利用して収納物をよりいっそう容易に取り出すことができるものである。
【００４２】
また、請求項３記載の発明にあっては、上記請求項１又は請求項２記載の発明の効果に加えて、底板の上面の端縁に一体に立設した立ち上がり突部に側板を軸支すると共に起立状態の側板が立ち上がり突部上に載置される構成とし、側板の内面部の上端部から立ち上がり突部の内面部の下端部に到るように収納物取り出し用凹所を形成してあるので、折り畳みコンテナ内の下部においても立ち上がり突部に到る収納物取り出し用凹所を利用して収納物を取り出すことができるものである。また、載置板の両側に把手帯を突出し、載置板に玉子パックのような収納物を載置した状態で折り畳みコンテナ内に収納すると共に把手帯を収納物取り出し用凹所内に収め、取り出し時に把手帯を掴んで上方に引き上げることで折り畳みコンテナ内にぴったりと収納した収納物を取り出すというようなことも可能となるものである。
【００４３】
また、請求項４記載の発明にあっては、上記請求項１乃至請求項３のいずれかに記載の発明の効果に加えて、側板の主体となる平板部の外面部の上端部に上横リブを設けると共に平板部の外面部の下端部に下横リブを設け、平板部の一部を外面側に凹ませて内方及び上方に開口する収納物取り出し用凹所を形成し、上横リブの収納物取り出し用凹所の上開口に該当する個所を上横リブの他の部位よりも凹ませて巾狭とし、収納物取り出し用凹所部分の外面の上部に凹所補強用横リブを形成し、この凹所補強用横リブを少なくとも収納物取り出し用凹所の両縦縁部間にわたるように形成してあるので、上方に開口する収納物取り出し用凹所を形成したと言えども、収納物取り出し用凹所部分の外面の上部に収納物取り出し用凹所の両縦縁部間にわたるように形成した凹所補強用横リブにより収納物取り出し用凹所の上開口部分が変形しないように補強できるものである。
【００４４】
また、請求項５記載の発明にあっては、上記請求項４記載の発明の効果に加えて、収納物取り出し用凹所部分の外面に凹所補強用縦リブを設けて該凹所補強用縦リブと凹所補強用横リブとを交差一体化させてあるので、収納物取り出し用凹所の補強をより強固に行うことができるものである。
【図面の簡単な説明】
【図１】本発明の折り畳みコンテナの箱状に組み立てた状態の斜視図である。
【図２】同上の折り畳みコンテナの一実施形態の折り畳み状態の正面断面図である。
【図３】同上の折り畳みコンテナの箱状に組み立てた状態の正面図である。
【図４】同上の折り畳みコンテナの箱状に組み立てた状態の側面図である。
【図５】同上の折り畳みコンテナの折り畳んだ状態の平面図である。
【図６】同上の折り畳みコンテナの折り畳んだ状態の側面図である。
【図７】同上の折り畳みコンテナにおいて第１の側板の回動を示す説明図である。
【図８】同上の折り畳みコンテナにおいて第２の側板の回動を示す説明図である。
【図９】本発明の折り畳みコンテナの他の実施形態を示す箱状に組み立てた状態の正面図である。
【図１０】同上の折り畳みコンテナの更に実施形態を示す箱状に組み立てた状態の正面図である。
【符号の説明】
１  底板
２  側板
３  折り畳みコンテナ
１０  立ち上がり突部
１１  収納物取り出し用凹所
１３  平板部
１４  凹所補強用横リブ
１４ａ  上横リブ１４
１４ｂ  下横リブ
１５  凹所補強用縦リブ
【図１】
0003911165.tif 000002
【図２】
0003911165.tif 000003
【図３】
0003911165.tif 000004
【図４】
0003911165.tif 000005
【図５】
0003911165.tif 000006
【図６】
0003911165.tif 000007
【図７】
0003911165.tif 000008
【図８】
0003911165.tif 000009
【図９】
0003911165.tif 000010
【図１０】
0003911165.tif 000011